(57)【要約】移動通信装置は、タッチスクリーンデバイスと、タッチスクリーンデバイスに移動可能に接続されるマルチメディアモジュールとを有する。マルチメディアモジュールは、タッチスクリーンデバイスの下であるマルチメディアモジュールの第１位置に配され、第１位置からタッチスクリーンデバイスの第１端部の上に移動可能である第１の入力または出力装置と、タッチスクリーンデバイスの下であるマルチメディアモジュールの第２位置に配され、第２位置からタッチスクリーンデバイスの第２端部の上に移動可能である第２の入力または出力装置とを備える。【選択図】図４Ｅ
2012505568.tif 000002
【特許請求の範囲】
【請求項１】
タッチスクリーンデバイスと、前記タッチスクリーンデバイスに移動可能に接続されるマルチメディアモジュールとを有し、
前記マルチメディアモジュールは、
前記タッチスクリーンデバイスの下である前記マルチメディアモジュールの第１位置に配され、前記第１位置から前記タッチスクリーンデバイスの第１端部の上に移動可能である第１の入力または出力装置と、
前記タッチスクリーンデバイスの下である前記マルチメディアモジュールの第２位置に配され、前記第２位置から前記タッチスクリーンデバイスの第２端部の上に移動可能である第２の入力または出力装置と
を備える移動通信装置。
【請求項２】
無線電話、パーソナル通信システム（ＰＣＳ）端末、携帯情報端末（ＰＤＡ）、携帯型ゲームシステムまたは全地球測位システム（ＧＰＳ）装置のうち１以上である、請求項１に記載の移動通信装置。
【請求項３】
前記タッチスクリーンデバイスは、ケースと、前記ケースにより支持されたディスプレイと、入力物体を検知するためのセンサ層とを備える、請求項１に記載の移動通信装置。
【請求項４】
前記マルチメディアモジュールは、前記タッチスクリーンデバイスから取外し可能である、請求項１に記載の移動通信装置。
【請求項５】
前記タッチスクリーンデバイスが第１方向に移動されるとき、前記第１の入力または出力装置が露出して前記第１位置から前記タッチスクリーンデバイスの前記第１端部に移動可能である、請求項１に記載の移動通信装置。
【請求項６】
前記タッチスクリーンデバイスが前記第１方向とは反対の第２方向に移動されるとき、前記第２の入力または出力装置が露出して前記第２位置から前記タッチスクリーンデバイスの前記第２端部に移動可能である、請求項５に記載の移動通信装置。
【請求項７】
前記第１の入力または出力装置は、キーパッドを備える、請求項１に記載の移動通信装置。
【請求項８】
前記キーパッドは、１以上のキー、ポインタデバイス、タッチパッドまたはカメラのうち１以上を備える、請求項７に記載の移動通信装置。
【請求項９】
前記第１の入力または出力装置は、スピーカを備える、請求項１に記載の移動通信装置。
【請求項１０】
前記第２の入力または出力装置は、キーパッドを備える、請求項１に記載の移動通信装置。
【請求項１１】
前記キーパッドは、１以上のキー、ポインタデバイス、タッチパッドまたはカメラのうち１以上を備える、請求項１０に記載の移動通信装置。
【請求項１２】
前記第２の入力または出力装置は、スピーカを備える、請求項１に記載の移動通信装置。
【請求項１３】
タッチスクリーン移動通信装置と、前記タッチスクリーン移動通信装置に移動可能に接続されるマルチメディアモジュールとを有し、
前記マルチメディアモジュールは、
前記タッチスクリーン移動通信装置の下である前記マルチメディアモジュールの第１位置に配され、前記第１位置から前記タッチスクリーン移動通信装置の第１端部の上に移動可能である第１の入力装置と、
前記タッチスクリーン移動通信装置の下である前記マルチメディアモジュールの第２位置に配され、前記第２位置から前記タッチスクリーン移動通信装置の第２端部の上に移動可能である第２の入力装置と
を備えるシステム。
【請求項１４】
前記タッチスクリーン移動通信装置は、無線電話、パーソナル通信システム（ＰＣＳ）端末、携帯情報端末（ＰＤＡ）、携帯型ゲームシステムまたは全地球測位システム（ＧＰＳ）装置のうち１以上である、請求項１３に記載のシステム。
【請求項１５】
前記マルチメディアモジュールは、取外し可能であり、前記タッチスクリーン移動通信装置とは別のコンポーネントである、請求項１３に記載のシステム。
【請求項１６】
前記タッチスクリーン移動通信装置が第１方向に移動されるとき、前記第１の入力装置が露出して前記第１位置から前記タッチスクリーン移動通信装置の前記第１端部に移動可能である、請求項１３に記載のシステム。
【請求項１７】
前記タッチスクリーン移動通信装置が前記第１方向とは反対の第２方向に移動されるとき、前記第２の入力装置が露出して前記第２位置から前記タッチスクリーン移動通信装置の前記第２端部に移動可能である、請求項１６に記載のシステム。
【請求項１８】
前記第１の入力装置と前記第２の入力装置のそれぞれは、１以上のキー、ポインタデバイス、タッチパッド、またはカメラのうち１以上を備えるキーパッドを備える、請求項１３に記載のシステム。
【請求項１９】
タッチスクリーンデバイスと、前記タッチスクリーンデバイスに移動可能に接続されるマルチメディアモジュールとを有し、
前記マルチメディアモジュールは、
前記タッチスクリーンデバイスの下である前記マルチメディアモジュールの第１位置に配され、前記第１位置から前記タッチスクリーンデバイスの第１端部の上に移動可能である第１の出力装置と、
前記タッチスクリーンデバイスの下である前記マルチメディアモジュールの第２位置に配され、前記第２位置から前記タッチスクリーンデバイスの第２端部の上に移動可能である第２の出力装置と
を備える移動通信装置。
【請求項２０】
前記第１の出力装置と前記第２の出力装置のそれぞれは、スピーカを備える、請求項１９に記載の移動通信装置。
【発明の詳細な説明】
【技術分野】
【０００１】
本発明は、移動通信装置のためのマルチメディアモジュールに関する。
【背景技術】
【０００２】
移動通信装置（携帯電話、携帯情報端末（ＰＤＡ）等）等の装置は、接触検知入力装置（接触検知インタフェースまたはディスプレイ、タッチスクリーン等）を含む。タッチスクリーンは、通常、ディスプレイの上に配置され、ユーザの指またはスタイラスの接触を検知するために用いる抵抗または容量フィルム層により形成される。いくつかのタッチスクリーンは、タッチスクリーンに表示された情報とのインタラクションを通じて、情報（文字、数字等）の入力、マルチメディア（音楽、ゲーム、映像等）の再生等をユーザに可能にする。しかし、このようなタッチスクリーン型の移動通信装置は、移動通信装置を通じてマルチメディアを再生するための追加のマルチメディアコンポーネント（マルチメディアキー、キーパッド等）をユーザに提供するものではない。
【発明の概要】
【課題を解決するための手段】
【０００３】
本発明のある観点によれば、タッチスクリーンデバイスと、タッチスクリーンデバイスに移動可能に接続されるマルチメディアモジュールとを有し、マルチメディアモジュールは、タッチスクリーンデバイスの下であるマルチメディアモジュールの第１位置に配され、第１位置からタッチスクリーンデバイスの第１端部の上に移動可能である第１の入力または出力装置と、タッチスクリーンデバイスの下であるマルチメディアモジュールの第２位置に配され、第２位置からタッチスクリーンデバイスの第２端部の上に移動可能である第２の入力または出力装置とを備える移動通信装置が提供される。
【０００４】
また、移動通信装置は、無線電話、パーソナル通信システム（ＰＣＳ）端末、携帯情報端末（ＰＤＡ）、携帯型ゲームシステムまたは全地球測位システム（ＧＰＳ）装置のうち１以上でもよい。
【０００５】
また、タッチスクリーンデバイスは、ケースと、ケースにより支持されたディスプレイと、入力物体を検知するためのセンサ層とを備えてもよい。
【０００６】
また、マルチメディアモジュールは、タッチスクリーンデバイスから取外し可能でもよい。
【０００７】
また、タッチスクリーンデバイスが第１方向に移動されるとき、第１の入力または出力装置が露出して第１位置からタッチスクリーンデバイスの第１端部に移動可能でもよい。
【０００８】
また、タッチスクリーンデバイスが第１方向とは反対の第２方向に移動されるとき、第２の入力または出力装置が露出して第２位置からタッチスクリーンデバイスの第２端部に移動可能でもよい。
【０００９】
また、第１の入力または出力装置は、キーパッドを備えてもよい。
【００１０】
また、キーパッドは、１以上のキー、ポインタデバイス、タッチパッドまたはカメラのうち１以上を備えてもよい。
【００１１】
また、第１の入力または出力装置は、スピーカを備えてもよい。
【００１２】
また、第２の入力または出力装置は、キーパッドを備えてもよい。
【００１３】
また、キーパッドは、１以上のキー、ポインタデバイス、タッチパッドまたはカメラのうち１以上を備えてもよい。
【００１４】
また、第２の入力または出力装置は、スピーカを備えてもよい。
【００１５】
本発明の他の観点によれば、タッチスクリーン移動通信装置と、タッチスクリーン移動通信装置に移動可能に接続されるマルチメディアモジュールとを有し、マルチメディアモジュールは、タッチスクリーン移動通信装置の下であるマルチメディアモジュールの第１位置に配され、第１位置からタッチスクリーン移動通信装置の第１端部の上に移動可能である第１の入力装置と、タッチスクリーン移動通信装置の下であるマルチメディアモジュールの第２位置に配され、第２位置からタッチスクリーン移動通信装置の第２端部の上に移動可能である第２の入力装置とを備えるシステムが提供される。
【００１６】
また、タッチスクリーン移動通信装置は、無線電話、パーソナル通信システム（ＰＣＳ）端末、携帯情報端末（ＰＤＡ）、携帯型ゲームシステムまたは全地球測位システム（ＧＰＳ）装置のうち１以上でもよい。
【００１７】
また、マルチメディアモジュールは、取外し可能であり、タッチスクリーン移動通信装置とは別のコンポーネントでもよい。
【００１８】
また、タッチスクリーン移動通信装置が第１方向に移動されるとき、第１の入力装置が露出して第１位置からタッチスクリーン移動通信装置の第１端部に移動可能でもよい。
【００１９】
また、タッチスクリーン移動通信装置が第１方向とは反対の第２方向に移動されるとき、第２の入力装置が露出して第２位置からタッチスクリーン移動通信装置の第２端部に移動可能でもよい。
【００２０】
また、第１の入力装置と第２の入力装置のそれぞれは、１以上のキー、ポインタデバイス、タッチパッドまたはカメラのうち１以上を備えるキーパッドを備えてもよい。
【００２１】
本発明の他の観点によれば、タッチスクリーンデバイスと、タッチスクリーンデバイスに移動可能に接続されるマルチメディアモジュールとを有し、マルチメディアモジュールは、タッチスクリーンデバイスの下であるマルチメディアモジュールの第１位置に配され、第１位置からタッチスクリーンデバイスの第１端部の上に移動可能である第１の出力装置と、タッチスクリーンデバイスの下であるマルチメディアモジュールの第２位置に配され、第２位置からタッチスクリーンデバイスの第２端部の上に移動可能である第２の出力装置とを備える移動通信装置が提供される。
【００２２】
また、第１の出力装置と第２の出力装置のそれぞれは、スピーカを備えてもよい。
【図面の簡単な説明】
【００２３】
本明細書の一部として組み込まれた添付図面は、ここで説明する１以上の実施形態を記載しており、詳細な説明とともに、これらの実施形態を説明している。
【図１】ここで説明するシステムおよび／または方法を実施可能な装置の一例を示す図である。
【図２】図１に示した装置のコンポーネント例を示す図である。
【図３】図１に示した装置のディスプレイ（タッチスクリーン等）のコンポーネント例を示す図である。
【図４Ａ】図１に示した装置のマルチメディアモジュールの構成例を示す図である。
【図４Ｂ】図１に示した装置のマルチメディアモジュールの構成例を示す図である。
【図４Ｃ】図１に示した装置のマルチメディアモジュールの構成例を示す図である。
【図４Ｄ】図１に示した装置のマルチメディアモジュールの構成例を示す図である。
【図４Ｅ】図１に示した装置のマルチメディアモジュールの構成例を示す図である。
【図４Ｆ】図１に示した装置のマルチメディアモジュールの構成例を示す図である。
【図５Ａ】図１に示した装置の平面図の一例を示す図である。
【図５Ｂ】図１に示した装置の図５Ａの５Ｂ−５Ｂ線に沿った正面図の一例を示す図である。
【図５Ｃ】図１に示した装置の図５Ａの５Ｃ−５Ｃ線に沿った側面図の一例を示す図である。
【図６】ここで説明する実施形態による図１に示した装置とのインタラクションの処理例を示すフロー図である。
【発明を実施するための形態】
【００２４】
以下の詳細な説明は、添付図面を参照している。異なる図面中の同一の参照符号は、同一または同様の要素を示している。また、以下の詳細な説明は、本発明を限定するものではない。
【００２５】
ここで説明されるシステムおよび／または方法は、タッチスクリーンデバイス（ディスプレイ等）を含みうる移動通信装置（携帯電話、ＰＤＡ等）のユーザの、マルチメディアおよび／またはゲームの経験を充実したものにしうる。一実施形態では、例えば、システムおよび／または方法は、（移動通信装置等の）タッチスクリーンデバイスを第１方向に移動して第１キーパッドを露出させ、第１キーパッドをタッチスクリーンデバイスの上に移動しうる。システムおよび／または方法は、タッチスクリーンデバイスを第２方向に移動し、タッチスクリーンデバイスを第１キーパッドの下に配して第２キーパッドを露出させ、第２キーパッドをタッチスクリーンデバイスの上に移動しうる。システムおよび／または方法は、タッチスクリーンデバイスを第１方向に移動し、タッチスクリーンデバイスを第１キーパッドの一部の下かつ第２キーパッドの一部の下に配しうる。
【００２６】
ここで用いる用語「ユーザ」は、移動通信装置または移動通信装置のユーザを含んで広く解釈されることを意図している。ここで用いる用語「タッチスクリーン」は、タッチスクリーンディスプレイ、接触検知入力装置、接触検知インタフェース等を含んで広く解釈されることを意図している。
【００２７】
図１は、ここで説明するシステムおよび／または方法を実施可能な移動通信装置（以下では「装置１００」と称する。）の一例を示す図である。装置１００は、無線電話、（例えば携帯無線電話にデータ処理およびデータ通信能力を組合せた）パーソナル通信システム（ＰＣＳ）端末、（無線電話、ページャ、インターネット／イントラネットアクセス等を含む）ＰＤＡ、携帯型ゲームシステム、全地球測位システム（ＧＰＳ）装置、タッチスクリーンディスプレイ、これら装置の１つで実行されるスレッドまたはプロセス、および／またはこれら装置の１つにより実行可能なオブジェクトを利用可能な他の移動通信装置を含みうる。図１に示すように、装置１００は、（例えばケース１２０、ディスプレイ１３０、スピーカ１４０および／またはマイク１５０を含む）タッチスクリーンデバイス１１０と、マルチメディアモジュール１６０とを含みうる。
【００２８】
タッチスクリーンデバイス１１０は、タッチスクリーンディスプレイ、接触検知入力装置、接触検知インタフェース、タッチスクリーン移動通信装置（例えば、無線電話、ＰＣＳ端末、ＰＤＡ、携帯型ゲームシステム、ＧＰＳ装置等）を含みうる。一実施形態では、タッチスクリーンデバイス１１０は、非接触スクリーンディスプレイ、非接触スクリーンの無線電話、ＰＣＳ端末、ＰＤＡ、携帯型ゲームシステム、ＧＰＳ装置等のような非接触スクリーンデバイスに置換されうる。
【００２９】
ケース１２０は、タッチスクリーンデバイス１１０のコンポーネントを外部の要素から保護しうる。ケース１２０は、タッチスクリーンデバイス１１０に用いる装置およびコンポーネントを保持するように構成された構造を含み、様々な材料から形成されうる。例えば、ケース１２０は、プラスチック、金属または複合物から形成され、ディスプレイ１３０、スピーカ１４０および／またはマイク１５０を支持するように構成されうる。一実施形態では、ケース１２０は、マルチメディアモジュール１６０と（例えばスライド形式で）接続されるように構成されうる。
【００３０】
ディスプレイ１３０は、ユーザに視覚情報を提供しうる。例えば、ディスプレイ１３０は、装置１００への文字入力、他の装置から受信した文字、画像、映像および／またはグラフィック、および／または着呼び／発呼び、テキストメッセージの着信／発信、Ｅメール、メディア、ゲーム、電話帳、アドレス帳、現在時刻等を表示しうる。一実施形態では、ディスプレイ１３０は、ユーザがディスプレイ１３０に接触するときにユーザ入力を受けるように構成されるタッチスクリーンディスプレイを含みうる。例えば、ユーザは、ユーザの指を通じて直接的に、またはスタイラス等の他の入力物体を通じて、ディスプレイ１３０に入力を提供しうる。ディスプレイ１３０を通じて受けたユーザ入力は、装置１００内で動作するコンポーネントおよび／または装置により処理されうる。タッチスクリーンディスプレイは、１以上の動作を装置１００に実行させるために、装置１００とのインタラクションをユーザに可能にする。ディスプレイ１３０の詳細は、例えば図３に関連して以下で説明される。
【００３１】
スピーカ１４０は、装置１００のユーザに聴覚情報を提供しうる。スピーカ１４０は、タッチスクリーンデバイス１１０の上部に配置され、ユーザが装置１００を用いて通信セッションに関与しているときにイヤホンとして機能しうる。スピーカ１４０は、装置１００上で再生されるゲームおよび／またはビデオ画像に関連する音楽および／または音声情報のための出力装置としても機能しうる。
【００３２】
マイク１５０は、ユーザから聴覚情報を受信しうる。マイク１５０は、発話または他の音響信号を装置１００による利用のための電気信号に変換する装置を含みうる。マイク１５０は、タッチスクリーンデバイス１１０の下側の付近に配置されうる。
【００３３】
マルチメディアモジュール１６０は、装置１００へ／装置１００から入力／出力を提供するためのマルチメディア入力および／または出力装置からなるモジュールを含みうる。例えば、マルチメディアモジュール１６０は、マルチメディアキーパッド、キー、スピーカ等を含みうる。一実施形態では、マルチメディアモジュール１６０は、タッチスクリーンデバイス１１０とは別体の（例えば、脱着可能、取外し可能な）コンポーネントであり、（マルチメディアモジュール１６０の長手方向に沿ってタッチスクリーンデバイス１１０をスライド可能にする接続（ベアリング、グルーブ等）を通じて）タッチスクリーンデバイス１１０に対して機械的に接続（および取外し）されうる。このような構成では、マルチメディアモジュール１６０のマルチメディア入力および／または出力装置は、有線および／または無線接続を通じてタッチスクリーンデバイス１１０と通信しうる。他の実施形態では、タッチスクリーンデバイス１１０とマルチメディアモジュール１６０は、装置１００の統合コンポーネントでもよい。このような構成では、タッチスクリーンデバイス１１０は、（例えば、マルチメディアモジュール１６０の長手方向に沿ってタッチスクリーンデバイス１１０をスライド可能にする接続を通じて）マルチメディアモジュール１６０に対して移動可能であり、マルチメディアモジュール１６０のマルチメディア入力および／または出力装置は、有線および／または無線接続を通じてタッチスクリーンデバイス１１０と通信しうる。マルチメディアモジュール１６０の詳細は、例えば図４Ａ〜図５Ｃに関連して以下で説明される。
【００３４】
図１は装置１００のコンポーネント例を示しているが、他の実施形態では、装置１００は、図１に示したコンポーネントに対して、より少ないコンポーネント、異なるコンポーネント、異なる配置のコンポーネント、または追加コンポーネントからなってもよい。さらに他の実施形態では、装置１００の１以上のコンポーネントは、装置１００の１以上の他のコンポーントにより実行されるとして説明された１以上の他のタスクを実行してもよい。
【００３５】
図２は、装置１００のコンポーネント例を示す図である。図示するように、装置１００は、プロセッサ２００、メモリ２１０、ユーザインタフェース２２０、通信インタフェース２３０および／またはアンテナアセンブリ２４０を含みうる。
【００３６】
プロセッサ２００は、１以上のマイクロプロセッサ、特定用途向け集積回路（ＡＳＩＣ）、フィールド・プログラマブル・ゲート・アレイ（ＦＰＧＡ）または等価物を含みうる。プロセッサ２００は、装置１００およびそのコンポーネントの動作を制御しうる。一実施形態では、プロセッサ２００は、ここで説明するように、装置１００のコンポーネントの動作を制御しうる。
【００３７】
メモリ２１０は、プロセッサ２００により用いられうるデータおよび指令を格納するためのランダムアクセスメモリ（ＲＡＭ）、リードオンリーメモリ（ＲＯＭ）および／または他の形式のメモリを含みうる。
【００３８】
ユーザインタフェース２２０は、装置１００に情報を入力するための装置、および／または装置１００から情報を出力するための装置を含みうる。入出力装置の例は、装置１００へのデータおよび操作コマンドの入力を可能にするボタン（操作ボタン、キーパッドのキー、ジョイスティック等）またはタッチスクリーンインタフェース（タッチスクリーンデバイス１１０等）、電気信号を受信して音声信号を出力するスピーカ（スピーカ１４０等）、音声信号を受信して電気信号を出力するマイク（マイク１５０等）、視覚情報（装置１００への文字入力等）を出力するディスプレイ（ディスプレイ１３０等）、装置１００を振動させるバイブレータ、マルチメディアモジュール１６０のマルチメディア入力および／または出力装置等を含みうる。
【００３９】
通信インタフェース２３０は、例えば、プロセッサ２００からのベースバンド信号を無線（ＲＦ）信号に変換しうる送信機、および／またはＲＦ信号をベースバンド信号に変換しうる受信機を含みうる。代替的に、通信インタフェース２３０は、送信機と受信機の両方の機能を実行する送受信機を含みうる。通信インタフェース２３０は、ＲＦ信号の送信および／または受信のためにアンテナアセンブリ２４０に接続されうる。
【００４０】
アンテナアセンブリ２４０は、ＲＦ信号を無線で送信および／または受信する１以上のアンテナを含みうる。アンテナアセンブリ２４０は、例えば、通信インタフェース２３０からＲＦ信号を受けて無線で送信し、ＲＦ信号を無線で受信して通信インタフェース２３０に供給しうる。一実施形態では、例えば、通信インタフェース２３０は、ネットワーク、および／またはネットワークに接続された装置に接続されうる。
【００４１】
以下で説明するように、装置１００は、メモリ２１０等のコンピュータ読取可能な媒体に格納されたアプリケーションのソフトウェア指令を実行するプロセッサ２００に応答して、ここで説明する特定の動作を実行しうる。コンピュータ読取可能な媒体は、物理的または論理的な記憶装置として定義されうる。論理記憶装置は、単一の物理的な記憶装置内のメモリ空間または複数の物理的な記憶装置に広がるメモリ空間を含みうる。ソフトウェア指令は、他のコンピュータ読取可能な媒体から、または通信インタフェース２３０を通じて他の装置からメモリ２１０に読込まれうる。メモリ２１０に格納されたソフトウェア指令は、ここで説明する処理をプロセッサ２００に実行させうる。代替的に、ここで説明する処理を実行するために、ソフトウェア指令に代えて、またはソフトウェア指令と組合せて配線回路が用いられてもよい。よって、ここで説明する実施形態は、配線回路とソフトウェアの特定の組合せに限定されない。
【００４２】
図２は装置１００のコンポーネント例を示しているが、他の実施形態では、装置１００は、図２に示したコンポーネントに対して、より少ないコンポーネント、異なるコンポーネント、異なる配置のコンポーネント、または追加コンポーネントからなってもよい。さらに他の実施形態では、装置１００の１以上のコンポーネントは、装置１００の１以上の他のコンポーントにより実行されるとして説明された１以上の他のタスクを実行してもよい。
【００４３】
図３は、装置１００のディスプレイ１３０のコンポーネント例を示す図である。図示するように、ディスプレイ１３０は、光源３００、スクリーン３１０および／またはセンサ層３２０を含みうる。
【００４４】
光源３００は、情報を表示するためにスクリーン３１０の下面に背面照明を提供する装置（バックライト等）を含みうる。例えば、光源３００は、スクリーン３１０を部分的に照らす１以上の白熱電球、１以上の発光ダイオード（ＬＥＤ）、蛍光パネル（ＥＬＰ）、１以上の冷陰極蛍光ランプ（ＣＣＦＬ）、１以上の熱陰極蛍光ランプ（ＨＣＦＬ）等を含みうる。白熱電球は、非常に高い輝度が所望されるときに用いられうる。ＬＥＤは、小型で廉価な照明構成に用いられ、有色または白色の光を含みうる。ＥＬＰは、大型の照明構成に用いられ、または一様な照明が所望されるときに用いられ、有色または白色の光を含みうる。ＣＣＦＬは、大型の照明構成に用いられ、白色光でありうる。他の例では、光源３００は、非一様な光源から一様な照明を提供するための１以上の拡散器または導光器を利用しうる。さらに他の例では、光源３００は、任意色（黄色、緑色、青色、白色等）の光源または有色／無色の光源の組合せを含んでもよい。光源３００により提供される光は、ユーザに対面するスクリーン３１０の上面に前面照明を提供するために用いられてもよい。
【００４５】
スクリーン３００は、視覚情報（文字、画像、映像、発呼び／着呼び、ゲーム、電話帳、現在時刻、Ｅメール等）をユーザに提供可能な装置を含みうる。例えば、スクリーン３１０は、薄膜トランジスタ（ＴＦＴ）液晶ディスプレイ等の液晶ディスプレイ（ＬＣＤ）を含みうる。一実施例では、スクリーン３１０は、（ガラス基板よりはむしろ）金属箔上にＴＦＴを配置するプラスチック基板を含んでもよく、プラスチック基板は、スクリーン３１０を折り曲げ後に原型に復帰可能にする。スクリーン３１０は、スクリーン３１０にカラー画像を表示可能にする、プラスチック基板を被膜する有色フィルタを含みうる。他の実施形態では、スクリーン３１０は、モノクロームＬＣＤを含んでもよい。
【００４６】
センサ層３２０は、ディスプレイ１３０上の入力物体３３０（ユーザの指、スタイラス等）の存在を検知し、ディスプレイ１３０上の入力物体３３０の位置（または接触領域）を検出し、ディスプレイ１３０上にあるユーザの指の数を決定する装置を含みうる。例えば、センサ層３２０は、指３３０がセンサ層３２０に接触するときに電荷（蓄えられた電荷量等）が変化しうる、（例えば、不図示の保護カバーの下に配される）容量性物質の層を含みうる。一実施例では、センサ層３２０は、電極アレイを含む自己容量回路を含み、ユーザが（指３３０等により）センサ層３２０に接触したときに電極アレイの変化を監視しうる。他の実施例では、センサ層３２０は、電流を伝導する駆動線の層を含み、ユーザがセンサ層３２０に接触したときに電荷の変化を検出するセンサ線の他の層を含みうる。
【００４７】
センサ層３２０は、ユーザがセンサ層３２０に接触するたびに、その電気特性に関連する変化を検知し、この情報をプロセッサ２００および／またはメモリ２１０に供給しうる。プロセッサ２００は、この情報を用いて、ディスプレイ１３０上のユーザの指の形状、大きさおよび／または位置を決定しうる。
【００４８】
図３は装置１００のディスプレイ１３０のコンポーネント例を示しているが、他の実施形態では、ディスプレイ１３０は、図３に示したコンポーネントに対して、より少ないコンポーネント、異なるコンポーネント、異なる配置のコンポーネント、または追加コンポーネントからなってもよい。さらに他の実施形態では、ディスプレイ１３０の１以上のコンポーネントは、ディスプレイ１３０の１以上の他のコンポーントにより実行されるとして説明された１以上の他のタスクを実行してもよい。
【００４９】
マルチメディアモジュール入力／出力装置の例
図４Ａ−４Ｆは、装置１００のマルチメディアモジュール１６０の構成例を示す図である。図４Ａに示すように、タッチスクリーンデバイス１１０が（例えば、マルチメディアモジュール１６０の長手方向に沿って）方向４００に移動（スライド等）されると、（例えば、タッチスクリーンデバイス１１０の下に格納された）マルチメディアモジュール１６０のキーパッド４１０が露出しうる。キーパッド４１０は、ゲームキー４２０、キー４３０および／または他の入力装置（ポインタ装置、タッチパッド、カメラ等）を含みうる。
【００５０】
キーパッド４１０は、装置１００に１以上の動作を実行させるために装置１００とのインタラクションをユーザに可能にする操作ボタンを含みうる。例えば、操作ボタンは、ゲームをするために用いられてもよく、マルチメディア機能（映像、音声および／または画像の操作および／または取込み、音楽の再生等）を実行するため等に用いられてもよい。キーパッド４１０は、標準的な電話キーパッド、ＱＷＥＲＴＹキーボード（またはＱＷＥＲＴＹキーボードの一部）等を含んでもよい。一実施形態では、キーパッド４１０は、タッチスクリーンデバイス１１０を通じて提供されない（または容易に利用できない）機能を提供してもよい。
【００５１】
ゲームキー４２０は、ジョイスティック、ポインタ装置、タッチパッド等、ゲームをするために用いるキーを含みうる。キー４３０は、ゲームをするために用いるキー、マルチメディア機能を実行するために用いるキー、タッチスクリーンデバイス１１０の他の機能（電話機能、映像機能、音楽機能等）を作動させるために用いるキー等を含みうる。
【００５２】
図４Ｂに示すように、キーパッド４１０は、タッチスクリーンデバイス１１０の外側かつ上の方向４４０（上向きおよび下向き等）に移動されうる。キーパッド４１０は、キーパッド４１０をタッチスクリーンデバイス１１０の外側かつ上の方向４４０に移動可能にする装置（ヒンジ、ベアリング等）を通じてマルチメディアモジュール１６０に装着されうる。図４Ｃに示すように、キーパッド４１０がタッチスクリーンデバイス１１０の外側かつ上に配されると、タッチスクリーンデバイス１１０は、タッチスクリーンデバイス１１０がキーパッド４１０の下に配されるように、（例えば、方向４００（図４Ａ）とは反対の）方向４５０に移動（スライド等）されうる。これにより、キーパッド４１０は、タッチスクリーンデバイス１１０の上にロックされうる。
【００５３】
図４Ｄに示すように、タッチスクリーンデバイス１１０が（例えば、マルチメディアモジュール１６０の長手方向に沿って）方向４５０に移動（スライド等）され続けると、（例えば、タッチスクリーンデバイス１１０の下に格納された）マルチメディアモジュール１６０のキーパッド４６０が露出しうる。キーパッド４６０は、ゲームキー４７０、キー４８０および／または他の入力装置（ポインタ装置、タッチパッド、カメラ等）を含みうる。
【００５４】
キーパッド４６０は、装置１００に１以上の動作を実行させるために装置１００とのインタラクションをユーザに可能にする操作ボタンを含みうる。例えば、操作ボタンは、ゲームをするために用いられてもよく、マルチメディア機能（映像、音声および／または画像の操作および／または取込み、音楽の再生等）を実行するため等に用いられてもよい。キーパッド４６０は、標準的な電話キーパッド、ＱＷＥＲＴＹキーボード（またはＱＷＥＲＴＹキーボードの一部）等を含んでもよい。一実施形態では、キーパッド４６０は、タッチスクリーンデバイス１１０を通じて提供されない（または容易に利用できない）機能を提供してもよい。
【００５５】
ゲームキー４７０は、ジョイスティック、ポインタ装置、タッチパッド等、ゲームをするために用いるキーを含みうる。キー４８０は、ゲームをするために用いるキー、マルチメディア機能を実行するために用いるキー、タッチスクリーンデバイス１１０の他の機能（電話機能、映像機能、音楽機能等）を作動させるために用いるキー等を含んでもよい。
【００５６】
図４Ｅに示すように、キーパッド４６０は、タッチスクリーンデバイス１１０の外側かつ上の方向４９０（上側および下側等）に移動されうる。キーパッド４６０は、キーパッド４６０をタッチスクリーンデバイス１１０の外側かつ上の方向４９０に移動可能にする装置（ヒンジ、ベアリング等）を通じてマルチメディアモジュール１６０に装着されうる。キーパッド４１０がタッチスクリーンデバイス１１０の外側かつ上に配されると、タッチスクリーンデバイス１１０は、図４Ｆに示すように、タッチスクリーンデバイス１１０がキーパッド４６０の下に配されるように、（例えば、マルチメディアモジュール１６０の長手方向に沿って）方向４００に移動（スライド等）されうる。これにより、キーパッド４６０は、タッチスクリーンデバイス１１０の上にロックされうる。一実施形態では、タッチスクリーンデバイス１１０は、キーパッド４１０の一部の下およびキーパッド４６０の一部の下に配されてもよい。
【００５７】
図４Ｆに示す構成では、装置１００は、様々なマルチメディア用途に利用されうる。一例では、タッチスクリーンデバイス１１０は、（ディスプレイ１３０を通じて）ゲームを表示し、キーパッド４１０、４６０は、ゲームに関連する機能を実行するために装置１００のユーザにより利用されうる。他の例では、タッチスクリーンデバイス１１０は、（ディスプレイ１３０を通じて）同一または異なるゲームを表示し、キーパッド４１０は、ゲームに関連する機能を実行するために装置１００の一方のユーザにより利用され、キーパッド４６０は、ゲームに関連する機能を実行するために装置１００の他方のユーザにより利用されうる。この例では、ゲームは、異なるゲームコントローラ（キーパッド４１０、４６０等）の操作を各ユーザに要求する、２プレイヤ形式のゲームでありうる。さらに他の実施形態では、１以上のキーパッド４１０、４６０は、スピーカにより置換されてもよく、タッチスクリーンデバイス１１０は、（例えば、装置１００に格納されている）音楽を再生可能な音楽プレイヤを（ディスプレイ１３０を通じて）表示してもよい。スピーカは、装置１００により再生される音楽のためにステレオ品質の音声を提供してもよい。他の例では、１以上のキーパッド４１０、４６０は、ゲームキー４２０、キー４３０、ゲームキー４７０およびキー４８０とともに、キーパッド４１０、４６０の１以上の部分に配された１以上のスピーカを含んでもよい。
【００５８】
図４Ａ−４Ｆはマルチメディアモジュール１６０のコンポーネント例および構成例を示しているが、他の実施形態では、マルチメディアモジュール１６０は、図４Ａ−４Ｆに示したコンポーネントに対して、より少ないコンポーネント、異なるコンポーネント、異なる配置のコンポーネント、または追加コンポーネントからなってもよい。さらに他の実施形態では、マルチメディアモジュール１６０の１以上のコンポーネントは、マルチメディアモジュール１６０の１以上の他のコンポーントにより実行されるとして説明された１以上の他のタスクを実行してもよい。
【００５９】
図５Ａは、装置１００の平面図の一例を示す図である。図示するように、装置１００は、タッチスクリーンデバイス１１０、マルチメディアモジュール１６０、キーパッド４１０およびスピーカ５００を含みうる。タッチスクリーンデバイス１１０とマルチメディアモジュール１６０は、例えば図１から図４Ｆに関連して説明した特徴を含みうる。
【００６０】
キーパッド４１０は、例えば図４Ａ−４Ｆに関連して説明した特徴を含みうる。図５Ａにさらに示すように、キーパッド４１０は、ポインタ５１０、タッチパッド５２０、カメラ５３０およびキー５４０を含みうる。ポインタ５１０は、タッチスクリーンデバイス１１０のディスプレイ１３０上でポインタ（またはカーソル）を移動させ、タッチスクリーンデバイス１１０により提供されるゲームに関連する機能を実行するため等に用いる入力装置（ポインティングスティック、トラックボール等）を含みうる。タッチパッド５２０は、（入力物体３３０（図３）等から）接触を検出し、タップ操作の接触を通じてマウスクリックを生成し、接触圧を検知し、特殊なジェスチャ（エッジに沿う指の移動を通じたスクロール等）を検知する平坦面を含みうる。カメラ５３０は、画像および／または映像を取込んで格納する装置を含みうる。例えば、カメラ５３０は、従来のカメラのような現像フィルムを用いる代わりに、画像および／または映像を電子的に取込んで格納するデジタルカメラを含みうる。カメラ５３０は、多機能であり、画像とともに音声および／または映像を記録可能に構成されてもよい。キー５４０は、ゲームをするために用いるキー、マルチメディア機能を実行するために用いるキー、タッチスクリーンデバイス１１０の他の機能（電話機能、映像機能、音楽機能等）を作動させるために用いるキー等を含んでもよい。
【００６１】
スピーカ５００は、聴覚可能な音声を生成するためにアナログ音声信号を等価な空気振動に変換する装置を含みうる。スピーカ５００は、装置１００のユーザに聴覚可能な情報を提供しうる。スピーカ５００は、ユーザが装置１００を用いた通信セッションに関与しているときにハンズフリー音声装置として機能してもよい。スピーカ５００は、装置１００上で再生されるゲームおよび／または映像イメージに関連する音楽および／または音声情報のための出力装置として機能してもよい。一実施形態では、キーパッド４１０は、他のスピーカ５００により置換されてもよく、スピーカ５００は、装置１００のユーザにステレオ音声を提供してもよい。
【００６２】
一実施例では、キーパッド４１０は、タッチスクリーンデバイス１１０に表示されるアプリケーションに応じて変化しうる入力装置（ソフトタッチキー等）を提供する（タッチスクリーンデバイス１１０と同様の）タッチスクリーンデバイスでもよい。例えば、タッチスクリーンデバイス１１０が映画を表示していると、キーパッド４１０は、再生、一時停止、停止、音量キー等、映画に関連するキーを表示してもよい。タッチスクリーンデバイス１１０がゲームを表示していると、キーパッド４１０は、上、下、左、右、他のゲーム関連キー等、ゲームに関連するキーを表示してもよい。このような構成では、装置１００のユーザは、タッチスクリーンデバイス１１０に表示されるアプリケーションに基づきキーパッド４１０がどのように変更されるかを設定してもよい。
【００６３】
図５Ｂは、装置１００の図５Ａの５Ｂ−５Ｂ線に沿った正面図の一例を示す図である。図５Ｃは、装置１００の図５Ａの５Ｃ−５Ｃ線に沿った側面図の一例を示す図である。図５Ｂ、５Ｃに示すように、キーパッド４１０とスピーカ５００は、タッチスクリーンデバイス１１０の上かつ部分的に外側に配されうる。タッチスクリーンデバイス１１０の上かつ部分的に外側にキーパッド４１０とスピーカ５００を配することで、装置１００は、図４Ｆに関連して説明したように、様々なマルチメディア用途に利用されうる。
【００６４】
図５Ａ−５Ｃは装置１００のコンポーネント例および構成例を示しているが、他の実施形態では、装置１００は、図５Ａ−５Ｃに示したコンポーネントに対して、より少ないコンポーネント、異なるコンポーネント、異なる配置のコンポーネント、または追加コンポーネントからなってもよい。さらに他の実施形態では、装置１００の１以上のコンポーネントは、装置１００の１以上の他のコンポーントにより実行されるとして説明された１以上の他のタスクを実行してもよい。
【００６５】
処理例
図６は、ここで説明する実施形態による装置１００とのインタラクションの処理例６００を示すフロー図である。一実施形態では、処理６００は、装置１００の１以上のコンポーネントにより実行されうる。
【００６６】
図６に示すように、処理６００は、タッチスクリーンデバイスを第１方向に移動させて第１キーパッドを露出させ（ブロック６１０）、第１キーパッドをタッチスクリーンの上に移動する（ブロック６２０）ことで開始しうる。例えば、図４Ａ、４Ｂに関連して説明した実施形態では、装置１００のタッチスクリーンデバイス１１０が（例えば、マルチメディアモジュール１６０の長手方向に沿って）方向４００に移動（スライド等）されると、（タッチスクリーンデバイス１１０の下に格納された）マルチメディアモジュール１６０のキーパッド４１０が露出しうる。キーパッド４１０は、ゲームキー４２０、キー４３０および／または他の入力装置（ポインタ装置、タッチパッド、カメラ等）を含みうる。キーパッド４１０は、タッチスクリーンデバイス１１０の外側かつ上の方向４４０に移動されうる。キーパッド４１０は、タッチスクリーンデバイス１１０の外側かつ上の方向４４０にキーパッド４１０を移動可能にする装置（ヒンジ、ベアリング等）を通じてマルチメディアモジュール１６０に装着されうる。
【００６７】
さらに図６に示すように、タッチスクリーンデバイスは、（第１方向とは反対の）第２方向に移動され、タッチスクリーンデバイスを第１キーパッドの下に配して第２キーパッドを露出させ、（ブロック６３０）、第２キーパッドは、タッチスクリーンデバイスの上に移動されうる（ブロック６４０）。例えば、図４Ｄ、４Ｅに関連して説明した実施形態では、タッチスクリーンデバイス１１０が（例えば、マルチメディアモジュール１６０の長手方向に沿って）方向４５０に移動（スライド等）され続けると、（例えば、タッチスクリーンデバイス１１０の下に格納された）マルチメディアモジュール１６０のキーパッド４６０が露出しうる。キーパッド４６０は、ゲームキー４７０、キー４８０および／または他の入力装置（ポインタ装置、タッチパッド、カメラ等）を含みうる。キーパッド４６０は、タッチスクリーンデバイス１１０の外側かつ上の方向４９０に移動されうる。キーパッド４６０は、タッチスクリーンデバイス１１０の外側かつ上の方向４９０にキーパッド４６０を移動可能にする装置（ヒンジ、ベアリング等）を通じてマルチメディアモジュール１６０に装着されうる。
【００６８】
図６に戻って、タッチスクリーンデバイスは、タッチスクリーンデバイスを第１キーパッドの一部の下かつ第１２キーパッドの一部の下に配するように、第１方向に移動されうる（ブロック６５０）。例えば、図４Ｆに関連して説明した実施形態では、キーパッド４１０がタッチスクリーンデバイス１１０の外側かつ上に配されると、タッチスクリーンデバイス１１０は、（例えば、マルチメディアモジュール１６０の長手方向に沿って）方向４００に再び移動（スライド等）され、タッチスクリーンデバイス１１０がキーパッド４６０の下に配されうる。これにより、キーパッド４６０は、タッチスクリーンデバイス１１０の上にロックされうる。一例では、タッチスクリーンデバイス１１０は、キーパッド４１０の一部の下かつキーパッド４６０の一部の下に配されてもよい。
【００６９】
ここで説明したシステムおよび／または方法は、タッチスクリーンデバイスを含みうる移動通信装置のユーザの、マルチメディアおよび／またはゲームの経験を充実したものにしうる。一実施形態では、例えば、システムおよび／または方法は、（移動通信装置等の）タッチスクリーンデバイスを第１方向に移動し、第１キーパッドを露出させ、第１キーパッドをタッチスクリーンデバイスの上に移動しうる。システムおよび／または方法は、タッチスクリーンデバイスを第２方向に移動し、タッチスクリーンデバイスを第１キーパッドの下に配して第２キーパッドを露出させ、第２キーパッドをタッチスクリーンデバイスの上に移動しうる。システムおよび／または方法は、タッチスクリーンデバイスを第１方向に移動し、タッチスクリーンデバイスを第１キーパッドの一部の下かつ第２キーパッドの一部の下に配しうる。
【００７０】
実施形態の前述した説明は、説明と記載を提供するが、開示した通りの形態に本発明を限定することを意図するものではない。前述した教示をふまえた修正と変形が可能であり、本発明の実践からも修正と変形が得られるであろう。
【００７１】
また、図６に関して一連のブロックが説明されたが、他の実施形態では、ブロックの順序が変更されてもよい。また、互いに依存しないブロックが並列に実行されてもよい。
【００７２】
本明細書では、用語「備える（ｃｏｍｐｒｉｓｅｓ／ｃｏｎｐｒｉｓｉｎｇ）」は、記載された特徴、整数（ｉｎｔｅｇｅｒ）、ステップまたはコンポーネントの存在を特定するが、１以上の他の特徴、整数、ステップ、コンポーネント、またはこれらの組合せの存在または追加を除外するものではないことは勿論である。
【００７３】
ここで説明する観点は、図面に示された実施形態のソフトウェア、ファームウェアおよびハードウェアとは異なる多くの形態で実施されてもよい。これらの観点を実施するために用いる、実際のソフトウェアコードまたは特殊な制御ハードウェアは、本発明を限定するものではない。よって、これらの観点の動作と挙動は、特定のソフトウェアコードを参照せずに説明された。これらの観点を実施するためのソフトウェアや制御ハードウェアは、ここでの説明に基づき設計可能であろう。
【００７４】
請求項および／または明細書中の開示は、特徴の特定の組合せを記載しているが、これらの組合せは、本発明の説明を限定することを意図するものではない。実際に、これらの特徴の多くは、請求項および／または明細書中の開示に具体的に記載されていない方法で組合されてもよい。
【００７５】
本出願内で用いられる要素、動作または指令は、そのように明記されていない限り、本発明に必須または不可欠なものではない。また、冠詞「ａ」は、１以上の要素を含むことを意図している。単一の要素を意図する場合、用語「１つの」または同様な用語が用いられる。また、表現「〜に基づく」は、他に明記されていない限り、「少なくとも一部で〜に基づく」を意味することを意図している。
【図１】
2012505568.tif 000003
【図２】
2012505568.tif 000004
【図３】
2012505568.tif 000005
【図４Ａ】
2012505568.tif 000006
【図４Ｂ】
2012505568.tif 000007
【図４Ｃ】
2012505568.tif 000008
【図４Ｄ】
2012505568.tif 000009
【図４Ｅ】
2012505568.tif 000010
【図４Ｆ】
2012505568.tif 000011
【図５Ａ】
2012505568.tif 000012
【図５Ｂ】
2012505568.tif 000013
【図５Ｃ】
2012505568.tif 000014
【図６】
2012505568.tif 000015
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
ディスプレイを表示する表示面と前記表示面とは反対の背面とを有するタッチスクリーンデバイスと、前記タッチスクリーンデバイスに移動可能に接続されるマルチメディアモジュールとを有し、
前記マルチメディアモジュールは、
前記タッチスクリーンデバイスの前記背面の下である前記マルチメディアモジュールの第１位置に配され、前記第１位置から前記タッチスクリーンデバイスの前記表示面の第１端部の上である第１上部位置に移動可能である第１の入力装置または第１の出力装置と、
前記タッチスクリーンデバイスの前記背面の下である前記マルチメディアモジュールの第２位置に配され、前記第２位置から前記タッチスクリーンデバイスの前記表示面の第２端部の上である第２上部位置に移動可能である第２の入力装置または第２の出力装置と
を備える移動通信装置。
【請求項２】
無線電話、パーソナル通信システム（ＰＣＳ）端末、携帯情報端末（ＰＤＡ）、携帯型ゲームシステムまたは全地球測位システム（ＧＰＳ）装置のうち１以上である、請求項１に記載の移動通信装置。
【請求項３】
前記タッチスクリーンデバイスは、ケースと、前記ケースにより支持されたディスプレイと、入力物体を検知するためのセンサ層とを備える、請求項１に記載の移動通信装置。
【請求項４】
前記マルチメディアモジュールは、前記タッチスクリーンデバイスから取外し可能である、請求項１に記載の移動通信装置。
【請求項５】
前記タッチスクリーンデバイスが第１方向に移動されるとき、前記第１の入力装置または前記第１の出力装置が露出して前記第１位置から前記第１上部位置に移動可能である、請求項１に記載の移動通信装置。
【請求項６】
前記タッチスクリーンデバイスが前記第１方向とは反対の第２方向に移動されるとき、前記第２の入力装置または前記第２の出力装置が露出して前記第２位置から前記第２上部位置に移動可能である、請求項５に記載の移動通信装置。
【請求項７】
前記第１の入力装置または前記第１の出力装置は、キーパッドを備える、請求項１に記載の移動通信装置。
【請求項８】
前記キーパッドは、１以上のキー、ポインタデバイス、タッチパッドまたはカメラのうち１以上を備える、請求項７に記載の移動通信装置。
【請求項９】
前記第１の入力装置または前記第１の出力装置は、スピーカを備える、請求項１に記載の移動通信装置。
【請求項１０】
前記第２の入力装置または前記第２の出力装置は、キーパッドを備える、請求項１に記載の移動通信装置。
【請求項１１】
前記キーパッドは、１以上のキー、ポインタデバイス、タッチパッドまたはカメラのうち１以上を備える、請求項１０に記載の移動通信装置。
【請求項１２】
前記第２の入力装置または前記第２の出力装置は、スピーカを備える、請求項１に記載の移動通信装置。
【請求項１３】
ディスプレイを表示する表示面と前記表示面とは反対の背面とを有するタッチスクリーンと、前記タッチスクリーンに移動可能に接続されるマルチメディアモジュールとを有する移動通信装置の動作方法であって、
前記タッチスクリーンの前記背面の下である前記マルチメディアモジュールの第１位置から前記タッチスクリーンの前記表示面の第１端部の上である第１上部位置に第１の入力装置または第１の出力装置を移動し、
前記タッチスクリーンの前記背面の下である前記マルチメディアモジュールの第２位置から前記タッチスクリーンの前記表示面の第２端部の上である第２上部位置に第２の入力装置または第２の出力装置を移動すること
を含む方法。
【請求項１４】
前記タッチスクリーンは、無線電話、パーソナル通信システム（ＰＣＳ）端末、携帯情報端末（ＰＤＡ）、携帯型ゲームシステムまたは全地球測位システム（ＧＰＳ）装置のうち１以上である、請求項１３に記載の方法。
【請求項１５】
前記マルチメディアモジュールは、取外し可能であり、前記タッチスクリーンとは別のコンポーネントである、請求項１３に記載の方法。
【請求項１６】
前記タッチスクリーンを第１方向に移動し、前記第１の入力装置または前記第１の出力装置を露出させることをさらに含む、請求項１３に記載の方法。
【請求項１７】
前記タッチスクリーンを前記第１方向とは反対の第２方向に移動し、前記第２の入力装置または前記第２の出力装置を露出させることをさらに含む、請求項１６に記載の方法。
【請求項１８】
前記第１の入力装置と前記第２の入力装置のそれぞれは、１以上のキー、ポインタデバイス、タッチパッドまたはカメラのうち１以上を備えるキーパッドを備える、請求項１３に記載の方法。
【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
ディスプレイを表示する表示面と前記表示面とは反対の背面とを有するタッチスクリーンデバイスと、前記タッチスクリーンデバイスに移動可能に接続されるマルチメディアモジュールとを有し、
前記マルチメディアモジュールは、
前記タッチスクリーンデバイスの前記背面の下である前記マルチメディアモジュールの第１位置に配され、前記第１位置から前記タッチスクリーンデバイスの前記表示面の第１端部の上である第１上部位置に移動可能である第１の入力装置または第１の出力装置と、
前記タッチスクリーンデバイスの前記背面の下である前記マルチメディアモジュールの第２位置に配され、前記第２位置から前記タッチスクリーンデバイスの前記表示面の第２端部の上である第２上部位置に移動可能である第２の入力装置または第２の出力装置と
を備える移動通信装置。
【請求項２】
前記マルチメディアモジュールは、前記タッチスクリーンデバイスから取外し可能である、請求項１に記載の移動通信装置。
【請求項３】
前記タッチスクリーンデバイスが第１方向に移動されるとき、前記第１の入力装置または前記第１の出力装置が露出して前記第１位置から前記第１上部位置に移動可能である、請求項１に記載の移動通信装置。
【請求項４】
前記タッチスクリーンデバイスが前記第１方向とは反対の第２方向に移動されるとき、前記第２の入力装置または前記第２の出力装置が露出して前記第２位置から前記第２上部位置に移動可能である、請求項３に記載の移動通信装置。
【請求項５】
前記第２の入力装置または前記第２の出力装置は、キーパッドを備える、請求項１に記載の移動通信装置。
【請求項６】
前記キーパッドは、１以上のキー、ポインタデバイス、タッチパッドまたはカメラのうち１以上を備える、請求項５に記載の移動通信装置。
【請求項７】
ディスプレイを表示する表示面と前記表示面とは反対の背面とを有するタッチスクリーンと、前記タッチスクリーンに移動可能に接続されるマルチメディアモジュールとを有する移動通信装置の動作方法であって、
前記タッチスクリーンの前記背面の下である前記マルチメディアモジュールの第１位置から前記タッチスクリーンの前記表示面の第１端部の上である第１上部位置に第１の入力装置または第１の出力装置を移動し、
前記タッチスクリーンの前記背面の下である前記マルチメディアモジュールの第２位置から前記タッチスクリーンの前記表示面の第２端部の上である第２上部位置に第２の入力装置または第２の出力装置を移動すること
を含む方法。
【請求項８】
前記マルチメディアモジュールは、取外し可能であり、前記タッチスクリーンとは別のコンポーネントである、請求項７に記載の方法。
【請求項９】
前記タッチスクリーンを第１方向に移動し、前記第１の入力装置または前記第１の出力装置を露出させることをさらに含む、請求項７に記載の方法。
【請求項１０】
前記タッチスクリーンを前記第１方向とは反対の第２方向に移動し、前記第２の入力装置または前記第２の出力装置を露出させることをさらに含む、請求項９に記載の方法。
【国際調査報告】
2012505568.tif 000016
2012505568.tif 000017
2012505568.tif 000018